(57)【要約】【課題】ペイロード部に格納するデータの各チャネルのフレーム構成を低次のチャネルを含めて任意に設定でき、また、測定に用いるチャネルを容易に識別できるようにする。【解決手段】ペイロードデータ生成部２１は、同期多重化フレームのペイロード部に格納するためのデータを生成して、フレーム生成部３０に出力する。フレーム生成部３０は、ペイロードデータ生成部２１によって生成されたデータを多重化してペイロード部に格納し、そのペイロード部にヘッダ部を付加して同期多重化フレームを生成して測定対象１に出力する。ペイロード構成設定手段４０は、ペイロード生成部３０が生成するデータに含まれる各チャネル毎のフレーム構成を表示器３６に一覧表示するとともに、各チャネル毎のフレーム構成を操作部３５の操作によって任意に設定する。【選択図】        図１
2005033549.tif 000002
【特許請求の範囲】
【請求項１】
同期多重化フレームのペイロード部に格納するためのデータを生成するペイロードデータ生成部（２１）と、
前記ペイロードデータ生成部によって生成されたデータを多重化してペイロード部に格納し、該ペイロード部にヘッダ部を付加して同期多重化フレームを生成して測定対象に出力するフレーム生成部（３０）と、
操作部（３５）と、
表示器（３６）と、
前記ペイロード生成部が生成するデータに含まれる各チャネル毎のフレーム構成を前記表示器に一覧表示するとともに、各チャネル毎のフレーム構成を前記操作部の操作によって任意に設定するペイロード構成設定手段（４０）とを備えた同期多重化フレーム発生装置。
【請求項２】
前記同期多重化フレームがＳＤＨまたはＳＯＮＥＴのフレームであって、
前記ペイロード構成設定手段は、
ＴＵＧ３／ＳＴＳ３およびＴＵＧ２／ＶＴＧ内の各チャネル毎のフレーム構成を前記表示器に一覧表示するとともに、各チャネル毎のフレーム構成を前記操作部の操作によって任意に設定できるように構成されていることを特徴とする請求項１記載の同期多重化フレーム発生装置。
【請求項３】
前記ペイロード構成設定手段は、
測定に用いるチャネルを指定する測定チャネル指定手段を有し、
前記表示器に各チャネル毎に一覧表示するフレーム構成のうち、前記測定チャネル指定手段によって指定されたチャネルを識別表示することを特徴とする請求項１または請求項２記載の同期多重化フレーム発生装置。
【発明の詳細な説明】
【０００１】
【発明の属する技術分野】
本発明は、ＳＤＨやＳＯＮＥＴ等の同期伝送システムに用いられる機器等を試験するための同期多重化フレーム発生装置において、ペイロード部に挿入されるデータに含まれる各チャネルのフレーム構成を任意に設定することができるようにするための技術に関する。
【０００２】
【従来の技術と解決しようとする課題】
ＳＤＨやＳＯＮＥＴ等の同期伝送システムでは、低速のフレームデータを複数チャネル分多重化して高速のフレームデータを生成するという処理を所定段階繰り返して所定伝送速度の同期多重化フレームデータを生成して伝送路へ送出している。
【０００３】
このような同期伝送システムに用いられる機器は、入力された同期多重化フレームデータから所望のチャネルのデータを抽出して各種処理を行なうように構成されている。
【０００４】
したがって、同期伝送システムに用いられる機器を試験を行なうためには、ペイロード部の所定チャネルに測定用のデータが挿入されたフレームデータを発生する同期多重化フレーム発生装置が必要となる。
【０００５】
この同期多重化フレームデータは所定の多重化構造を有しており、例えば、次の非特許文献１のＩＴＵ−Ｔ  Ｇ．７０７ではＳＤＨの多重化構造を図１０に示すように規定している。
【０００６】
【非特許文献１】ＩＴＵ−Ｔ  Ｇ．７０７
【０００７】
この図に示された多重化構造のうち、例えばビットレート１５５．５２Ｍｂ／ｓのＳＴＭ−１のフレームの生成過程を説明すると、図１１に示しているように、１次群情報（１．５４４Ｍｂ／ｓ）等の低速のフレームデータを収容するコンテナＣ１１にその情報についての送信元や宛先のアドレス情報からなるＰＯＨ（パスオーバヘッド）を付加して低次バーチャルコンテナＶＣ１１を生成し、そのバーチャルコンテナＶＣ１１にＴＵポインタを付加してＴＵ１１データを生成する。そしてこのＴＵ１１データを４チャネル分まとめてＴＵＧ２データを生成する。なお、速度が異なるコンテナＣ１２、Ｃ２を用いてＴＵＧ２データを生成することも可能である。
【０００８】
そして、このＴＵＧ２データを７チャネル分まとめてＴＵＧ３データを生成し、そのＴＵＧ３データを３チャネル分まとめたものにＰＯＨを付加して高次バーチャルコンテナＶＣ４を生成し、このバーチャルコンテナＶＣ４にＡＵポインタを付加してＡＵ４データを生成し、この１組のＡＵ４データからなるＡＵＧ１データにＳＯＨ（セクションオーバヘッド）を付加してＳＴＭ−１のフレームが完成する。
【０００９】
また、ＳＴＭ−１を生成する別の多重化構造として、ＴＵＧ２データを７チャネル分まとめたものにＰＯＨを付加して高次バーチャルコンテナＶＣ３を生成して、この高次バーチャルコンテナＶＣ３にＡＵポインタを付加してＡＵ３データを生成し、このＡＵ３データを３チャネル分まとめてＡＵＧ１データを生成し、これにＳＯＨ（セクションオーバヘッド）を付加してＳＴＭ−１のフレームが完成する。
【００１０】
前記した機器試験のために用いる同期多重化フレーム発生装置は、上記した多重化処理を行なって同期多重化フレームデータを生成する必要がある。
【００１１】
このような同期多重化フレーム発生装置として、高次のＴＵＧ３の３チャネルについてのフレーム構成について設定が可能で、低次の７チャネル分のＴＵＧ２データの各フレーム構成が共通化されたものがあったが、これでは、ＴＵＧ２の各チャネルのフレーム構成がどのようになっているかを容易に把握できず、また、低次のチャネルのフレーム構成の違いによる機器の動作試験を行なうことができないという不便さがあった。
【００１２】
本発明は、この点を改善し、ペイロード部に格納するデータの各チャネルのフレーム構成を低次のチャネルを含めて任意に設定でき、また、測定に用いるチャネルを容易に識別できるようにした同期多重化フレーム発生装置を提供することを目的としている。
【００１３】
【課題を解決するための手段】
前記目的を達成するために、本発明の請求項１の同期多重化フレーム発生装置は、
同期多重化フレームのペイロード部に格納するためのデータを生成するペイロードデータ生成部（２１）と、
前記ペイロードデータ生成部によって生成されたデータを多重化してペイロード部に格納し、該ペイロード部にヘッダ部を付加して同期多重化フレームを生成して測定対象に出力するフレーム生成部（３０）と、
操作部（３５）と、
表示器（３６）と、
前記ペイロード生成部が生成するデータに含まれる各チャネル毎のフレーム構成を前記表示器に一覧表示するとともに、各チャネル毎のフレーム構成を前記操作部の操作によって任意に設定するペイロード構成設定手段（４０）とを備えている。
【００１４】
また、本発明の請求項２の同期多重化フレーム発生装置は、請求項１の同期多重化フレーム発生装置において、
前記同期多重化フレームがＳＤＨまたはＳＯＮＥＴのフレームであって、
前記ペイロード構成設定手段は、
ＴＵＧ３／ＳＴＳ３およびＴＵＧ２／ＶＴＧ内の各チャネル毎のフレーム構成を前記表示器に一覧表示するとともに、各チャネル毎のフレーム構成を前記操作部の操作によって任意に設定できるように構成されている。
【００１５】
また、本発明の請求項３の同期多重化フレーム発生装置は、請求項１または請求項２の同期多重化フレーム発生装置において、
前記ペイロード構成設定手段は、
測定に用いるチャネルを指定する測定チャネル指定手段を有し、
前記表示器に各チャネル毎に一覧表示するフレーム構成のうち、前記測定チャネル指定手段によって指定されたチャネルを識別表示することを特徴としている。
【００１６】
【発明の実施の形態】
以下、図面に基づいて本発明の実施の形態を説明する。
図１は、本発明を適用した同期多重化フレーム発生装置２０の構成を示している。
【００１７】
この同期多重化フレーム発生装置２０は、ＳＤＨ（またはＳＯＮＥＴ）のフレームデータを生成するとともに、そのフレームデータのペイロード部のデータに含まれるチャネルのうち、ＴＵＧ２を含むフレーム構成を測定に用いるように構成されたものであり、図１に示しているように、ペイロードデータ生成部２１、フレーム生成部３０、操作部３５、表示器３６およびペイロード構成設定手段４０とを有している。
【００１８】
ペイロードデータ生成部２１は、ペイロード構成設定手段４０によって設定された各チャネルのフレーム構成にしたがって、ＳＤＨのフレームＳＴＭ−Ｎ（Ｎ＝１〜２５６）のペイロード部に格納するためのデータを生成する。
【００１９】
このペイロードデータ生成部２１は、低次バーチャルコンテナ生成部２２、ＴＵＧ２データ生成部２３（１，１）〜（３，７）、ＴＵＧ３データ生成部２４（１）〜２４（３）を有している。
【００２０】
各低次バーチャルコンテナ生成部２２は、ペイロード構成設定手段４０によって設定されたフレーム構成にしたがって、それぞれ低速のフレームデータが収容されたコンテナＣ１（１．５４４Ｍｂ／ｓのＣ１１と、２．０４８Ｍｂ／ｓのＣ１２からなる）、Ｃ２（６．３１２Ｍｂ／ｓ）に基づいて低次バーチャルコンテナＶＣ１／ＶＣ２を生成し、各ＴＵＧ２データ生成部２３に出力する。
【００２１】
各ＴＵＧ２データ生成部２３（１，１）〜（３，７）は、ペイロード構成設定手段４０によってＴＵＧ２の７チャネルをまとめたＴＵＧ３データを３チャネル分まとめて高次バーチャルコンテナＶＣ４を生成するフレーム構成が指定された場合に備えて、３×７チャネル分設けられており、低次バーチャルコンテナを受けてＴＵＧ２データをそれぞれ生成する。
【００２２】
上記のように、ペイロード構成設定手段４０によってＴＵＧ２の７チャネルをまとめたＴＵＧ３データを３チャネル分まとめて高次バーチャルコンテナＶＣ４を生成するフレーム構成が指定された場合に、ＴＵＧ２データ生成部２３（１，１）〜（１，７）で生成された７チャネル分のＴＵＧ２データはＴＵＧ３データ生成部２４（１）に入力されて高次の第１チャネルのＴＵＧ３（１）データにまとめられて出力される。
【００２３】
また、ＴＵＧ２データ生成部２３（２，１）〜（２，７）で生成された７チャネル分のＴＵＧ２データはＴＵＧ３データ生成部２４（２）に入力され、高次の第２チャネルのＴＵＧ３（２）データにまとめられて出力され、ＴＵＧ２データ生成部２３（３，１）〜（３，７）で生成された７チャネル分のＴＵＧ２データはＴＵＧ３データ生成部２４（３）に入力され、高次の第３チャネルのＴＵＧ３（３）データにまとめられて出力される。
【００２４】
また、ＴＵＧ３の３つのチャネルのいずれかに、高次バーチャルコンテナＶＣ３を用いたフレーム構成が指定された場合、そのチャネルに対応するＴＵＧ３データ生成部２４は、ＴＵ２データを用いずに内部に予め設定されているＴＵ３データを出力する。
【００２５】
これらの高次３チャネル分のデータＴＵＧ３（１）〜ＴＵＧ３（３）は、フレーム生成部３０のＡＵデータ生成部３１に入力される。
【００２６】
ＡＵデータ生成部３１は、高次３チャネル分のデータＴＵＧ３（１）〜ＴＵＧ３（３）をまとめたものにＰＯＨを付加して高次バーチャルコンテナＶＣ４を生成し、このバーチャルコンテナＶＣ４に高次フレームの格納位置を示すＡＵポインタを付加してＡＵ４データを生成して、ヘッダ付加部３２に出力する。
【００２７】
ヘッダ付加部３２は、この１組のＡＵ４データからなるＡＵＧ１データ、あるいはそれを複数チャネル分まとめたＡＵＧ−ＮデータにＳＯＨ（セクションオーバヘッド）を付加してＳＴＭ−Ｎのフレームを完成して、これをＮによって決まるビットレートで出力する（Ｎは１、４、１６、…、２５６のいずれかである）。なお、Ｎが４以上の場合には、同一のＡＵＧ１データをＮ多重化するものとする。
【００２８】
なお、上記は、ＡＵ４経由のフレーム構成を生成する場合の例であるが、ＡＵ３経由のフレーム構成の場合でも、同様に設定できる。その場合、ＴＵＧ３を「ＡＵ３」に置き換える。また、このとき完成するＳＴＭ−ＮのフレームのＮは、０、１、４、１６、…、２５６のいずれかである。
【００２９】
一方、ペイロード構成設定手段４０は、ペイロード生成部２１が生成するデータのうち、ＴＵＧ３以下の低次チャネルを含む各チャネルのフレーム構成を表示器３６に一覧表示するとともに、各チャネルのフレーム構成を操作部３５の操作によって任意に設定できるように構成されている。
【００３０】
図２は、このペイロード構成設定手段４０の処理手順を示すフローチャートである。
【００３１】
以下、このフローチャートに基づいてこの実施形態の同期多重化フレーム発生装置２０の動作を説明する。
【００３２】
始めに操作部４０の操作によってペイロード構成設定モードが指定されると、例えば図３のようなビットレート設定画面が表示される（Ｓ１）。
【００３３】
このビットレート設定画面では、ビットレート表示欄に表示されている現ビットレート値を操作部３５の操作によって所望のビットレートに変更設定でき、また、電気のフレームデータを出力するか光のフレームデータを出力するかを選択できるようになっており、その設定処理が終了すると、図４に示すように測定に用いる主フレーム構成を設定するための主フレーム設定画面が表示される（Ｓ２、Ｓ３）。
【００３４】
この主フレーム設定画面では、その表示欄に表示されている現在の主フレーム構成を前記設定されたビットレートの範囲内で所望のフレーム構成に変更設定できるようになっており、その設定処理が終了すると、図５に示すように主フレーム構成内の測定に用いるチャネルを指定するための測定チャネル設定画面が表示される（Ｓ４、Ｓ５）。
【００３５】
この測定チャネルは、ＡＵＧのチャネル（通常は規定値で１とする）、高次のＴＵＧ３のチャネルおよび低次のＴＵＧ２のチャネルで指定することができ、操作部３５の操作によってこの測定チャネルの指定が終了すると、図６に示すようにチャネル構成画面が表示される（Ｓ６、Ｓ７）。
【００３６】
このチャネル構成画面には、前記した主フレーム構成、高次のチャネルと低次のチャネルの組合せにそれぞれ対応したフレーム構成の一覧が表示されるとともに、この組合せのうち前記測定チャネル設定処理で設定された測定チャネルの位置が他のチャネルと識別できるように表示（図６の例では「測定」を表す「ＭＥＡＳ」の文字）される。
【００３７】
なお、フローチャートには示していないが、各ＴＵＧ２の７チャネルのフレーム構成を従来のように共通化して用いる場合には、操作部３５の操作によって「Ｍｉｘ  ｐａｙｌｏａｄ」に続く表示欄の「ＯＮ」を「ＯＦＦ」に変更する。
【００３８】
また、チャネル構成画面に「Ｅｄｉｔ」で示された編集ボタンを操作部３５によって選択操作すると、図７に示すように、非測定チャネルのフレーム構成を変更するための編集画面が表示される（Ｓ８、Ｓ９）。
【００３９】
この編集画面上で、各非測定チャネルのフレーム構成表記部分には、フレーム構成に対応して予め指定されている所定のデータが挿入されていることを示す「Ｂｕｌｋ」の表示がなされており、これらの各非測定チャネルのフレーム構成は、操作部３５の操作によって例えば図８に示すように任意に変更設定できる。
【００４０】
この非測定チャネルのフレーム構成の変更処理が終了すると、編集画面が消えて（Ｓ１０、Ｓ１１）、チャネル構成画面に戻るが、このとき非測定チャネルについてのフレーム構成は、図９のように、編集結果を反映して変更される。
【００４１】
このようにして、各高次チャネルと低次チャネルについてのフレーム構成が設定された後、ペイロード生成部２１は、前記チャネル構成画面に最終的に表示されていた内容にしたがって、ペイロード部に格納するための各データを生成してフレーム生成部３０に出力し、フレーム生成部３０からは、前記チャネル構成画面に表示されたフレーム構造で多重化された各チャネルのデータがペイロード部に挿入されたフレームデータが、指定されたビットレートで送出される。
【００４２】
なお、このフレームデータの測定チャネルには、ペイロード生成部２１内で測定のために必要なデータが挿入されることになり、このフレームデータを測定対象の機器に与えることで、各チャネルのフレーム構成が異なるデータに対する動作の試験を行なうことができる。
【００４３】
また、前記図２のフローチャートでは、説明を簡単にするために操作部３５による各設定処理、編集処理の操作を待って次の画面を表示するようにしていたが、さらに詳しく言えば、操作部３５の操作によって順次前画面に戻ることができるように構成されており、前画面の設定内容を任意に変更できる。
【００４４】
このように、実施形態の同期多重化フレーム発生装置２０は、ペイロード生成部２１が生成するデータに含まれる低次チャネルを含めた各チャネルのフレーム構成を、表示器３６の画面上に一覧表示するとともに、そのフレーム構成を任意に変更設定できるようにしている。
【００４５】
このため、低次チャネルを含めた各チャネルのフレーム構成を容易に把握でき、各チャネルのフレーム構成が異なるＳＤＨフレームに対する機器の動作試験を行なうことができ、より実際に則した試験が行なえる。
【００４６】
また、その一覧表示内で測定チャネルの位置を識別表示しているので、低次の測定チャネルを明確に把握することができ、測定対象の機器に対するチャネル指定を正確に行なうことができる。
【００４７】
なお、この実施形態では、ＳＤＨフレームを生成する場合について説明したが、ＳＤＨフレームと同等なＳＯＮＥＴフレームを生成する場合でも、本発明を同様に適用できる。この場合、例えばＴＵＧ３を「ＳＴＳ３」、ＴＵＧ２を「ＶＴＧ」に置き換える等すればよい。
【００４８】
【発明の効果】
以上説明したように、本発明の同期多重化フレーム発生装置は、ペイロード生成部が生成するデータに含まれる各チャネルのフレーム構成を、表示器の画面上に一覧表示するとともに、そのフレーム構成を任意に変更設定できるように構成されている。
【００４９】
このため、低次チャネルを含めた各チャネルのフレーム構成を容易に把握でき、各チャネルのフレーム構成が異なる同期多重化フレームに対する機器の動作試験を行なうことができ、より実際に則した試験が行なえる。
【００５０】
また、その一覧表示内で測定チャネルの位置を識別表示しているので、低次の測定チャネルを明確に把握することができ、測定対象の機器に対するチャネル指定を正確に行なうことができる。
【図面の簡単な説明】
【図１】本発明の実施形態の構成を示す図
【図２】実施形態の要部の処理手順を示すフローチャート
【図３】実施形態の要部の動作を説明するための表示画面図
【図４】実施形態の要部の動作を説明するための表示画面図
【図５】実施形態の要部の動作を説明するための表示画面図
【図６】実施形態の要部の動作を説明するための表示画面図
【図７】実施形態の要部の動作を説明するための表示画面図
【図８】実施形態の要部の動作を説明するための表示画面図
【図９】実施形態の要部の動作を説明するための表示画面図
【図１０】ＩＴＵ−Ｔ  Ｇ．７０７で規定されているＳＤＨ多重化構造を示す図
【図１１】ＳＴＭ−１のフレームの生成過程を説明するための図
【符号の説明】
２０……同期多重化フレーム発生装置、２１……ペイロードデータ生成部、２２……低次バーチャルコンテナ生成部、２３……ＴＵＧ２データ生成部、２４……ＴＵＧ３データ生成部、３０……フレーム生成部、３１……ＡＵデータ生成部、３２……ヘッダ付加部、３５……操作部、３６……表示器、４０……ペイロード構成設定手段
【図１】
2005033549.tif 000003
【図２】
2005033549.tif 000004
【図３】
2005033549.tif 000005
【図４】
2005033549.tif 000006
【図５】
2005033549.tif 000007
【図６】
2005033549.tif 000008
【図７】
2005033549.tif 000009
【図８】
2005033549.tif 000010
【図９】
2005033549.tif 000011
【図１０】
2005033549.tif 000012
【図１１】
2005033549.tif 000013